(57)【要約】      （修正有）【課題】コードセンサを備えたオーディオプレーヤーを提供する。【解決手段】音声ファイルは符号化タグに関連付けられており、符号化タグによって一意に識別され、各符号化タグは基材の識別と基材上における同符号化タグの位置とを符号化し、音声ファイルは選択装置を使用して記録されるとともに、選択装置と符号化タグとが相互作用することによって符号化タグに関連付けられ、基材はコンピュータシステムにおいて基材のデジタル形式に関連付けられる工程と、基材の識別と符号化タグの位置とを使用して、デジタル形式から選択装置を使用して選択された音声ファイルの符号化タグと関連する識別を決定する工程であって、選択装置は音声ファイルを選択するために基材上で符号化タグを感知する工程と、決定された識別を使用して、選択された音声ファイルの音声データをコンピュータシステムから選択装置にダウンロードする工程とを含む方法。【選択図】図１３
2011242782.tif 000002
【特許請求の範囲】
【請求項１】
音声ファイルを得る方法において、
複数の符号化タグを有する基材を提供する工程であって、音声ファイルは該符号化タグに関連付けられており、該符号化タグによって一意に識別され、各符号化タグは、前記基材の識別と該基材上における同符号化タグの位置とを符号化し、前記音声ファイルは、選択装置を使用して記録されるとともに、前記選択装置と前記符号化タグとが相互作用することによって前記符号化タグに関連付けられ、前記基材は、前記コンピュータシステムにおいて前記基材のデジタル形式に関連付けられる、前記基材を提供する工程と、  前記基材の識別と前記符号化タグの位置とを使用して、前記デジタル形式から前記選択装置を使用して選択された前記音声ファイルの前記符号化タグと関連する識別を決定する工程であって、前記選択装置は、前記音声ファイルを選択するために前記基材上で前記符号化タグを感知する、前記工程と、
該決定された識別を使用して、前記選択された音声ファイルの音声データを前記コンピュータシステムから前記選択装置にダウンロードする工程とを含む方法。
【請求項２】
前記選択装置のマイクロホンを用いて前記音声ファイルを記録するとともに、同記録された音声ファイルを前記選択装置のメモリに格納する工程をさらに含む、請求項１に記載の方法。
【請求項３】
前記選択装置は、同選択装置を一意に示す識別情報を格納する、請求項２に記載の方法。
【請求項４】
前記選択装置の識別と前記音声ファイルとの間の関連を示す関連データを前記選択装置の前記メモリに格納する工程をさらに含む、請求項３に記載の方法。
【請求項５】
前記符号化タグは、平均的な人間の目に見えないインキを使用して印刷されている、請求項１に記載の方法。
【請求項６】
前記基材は、前記音声ファイルと前記符号化タグとに関連する可視データを有する、請求項１に記載の方法。
【発明の詳細な説明】
【技術分野】
【０００１】
（発明の属する技術分野）
本発明は、機械可読入力を受取り、かつ、一般に音声または視覚情報の形で人が認識可能な出力を出力するための装置に関する。より詳細には、本発明は、ある表面上の機械可読な符号化データを走査または感知して、感知した符号化データに応じた音声データを出力するために使用されるオーディオプレーヤーに関する。
（同時係属出願）  本発明に関する様々な方法、システムおよび装置が、本発明と同時に本発明の出願人または譲受人によって出願された以下の同時係属出願に開示されている。PCT/AU00/01442,PCT/AU00/01444,PCT/AU00/01446,PCT/AU00/01445,
PCT/AU00/01450,PCT/AU00/O1453,PCT/AU00/01448,PCT/AU00/01447,
PCT/AU00/01459,PCT/AU00/01451,PCT/AU00/01454,PCT/AU00/01452,
PCT/AU00/01443,PCT/AU00/01455,PCT/AU00/01456,PCT/AU00/01457,
PCT/AU00/01458およびPCT/AU00/01449。
【０００２】
これらの同時係属出願の開示は、相互参照により本明細書に組込まれる。
本発明に関する様々な方法、システムおよび装置が、本発明の出願人または譲受人によって２０００年１０月２０日に出願された以下の同時係属出願に開示されている。
PCT/AU00/01273,PCT/AU00/01279,PCT/AU00/01288,PCT/AU00/01282,
PCT/AU00/01276,PCT/AU00/01280,PCT/AU00/01274,PCT/AU00/01289,
PCT/AU00/01275,PCT/AU00/01277,PCT/AU00/01286,PCT/AU00/01281,
PCT/AU00/01278,PCT/AU00/O1287,PCT/AU00/01285,PCT/AU00/01284
およびPCT/AU00/01283。
【０００３】
これらの同時係属出願の開示は、相互参照により本明細書に組込まれる。
本発明に関する様々な方法、システム、および装置が、本発明の出願人または譲受人によって２０００年９月１５日に出願された以下の同時係属出願に開示されている。
PCT/AU00/01108,PCT/AU00/01110およびPCT/AU00/O1111。
【０００４】
これらの同時係属出願の開示は、相互参照により本明細書に組込まれる。
本発明に関する様々な方法、システムおよび装置が、本発明の出願人または譲受人によって２０００年６月３０日に出願された以下の同時係属出願に開示されている。
PCT/AU00/00762,PCT/AU00/00763,PCT/AU00/00761,PCT/AU00/00760,
PCT/AU00/00759,PCT/AU00/00758,PCT/AU00/00764,PCT/AU00/00765,
PCT/AU00/00766,PCT/AU00/00767,PCT/AU00/00768,PCT/AU00/00773,
PCT/AU00/00774,PCT/AU00/00775,PCT/AU00/00776,PCT/AU00/00777,
PCT/AU00/00770,PCT/AU00/00769,PCT/AU00/00771,PCT/AU00/00772,
PCT/AU00/00754,PCT/AU00/00755,PCT/AU00/00756およびPCT/AU00/00757。
【０００５】
これらの同時係属出願の開示は、相互参照により本明細書に組込まれる。
本発明に関する様々な方法、システムおよび装置が、本発明の出願人または譲受人によって２０００年５月２４日に出願された以下の同時係属出願に開示されている。
PCT/AU00/00518,PCT/AU00/00519,PCT/AU00/00520,PCT/AU00/00521,
PCT/AU00/00522,PCT/AU00/00523,PCT/AU00/00524,PCT/AU00/00525,
PCT/AU00/00526,PCT/AU00/00527,PCT/AU00/00528,PCT/AU00/00529,
PCT/AU00/00530,PCT/AU00/00531,PCT/AU00/00532,PCT/AU00/00533,
PCT/AU00/00534,PCT/AU00/00535,PCT/AU00/00536,PCT/AU00/00537,
PCT/AU00/00538,PCT/AU00/00539,PCT/AU00/00540,PCT/AU00/00541,
PCT/AU00/00542,PCT/AU00/00543,PCT/AU00/00544,PCT/AU00/00545,
PCT/AU00/00547,PCT/AU00/00546,PCTIAU00/00554,PCT/AU00/00556,
PCT/AU00/00557,PCT/AU00/00558,PCT/AU00/00559,PCT/AU00/00560,
PCT/AU00/00561,PCT/AU00/00562,PCT/AU00/00563,PCT/AU00/00564,
PCT/AU00/00565,PCT/AU00/00566, PCT/AU00/00567,PCT/AU00/00568,
PCT/AU00/00569,PCT/AU00/0057O,PCT/AU00/00571,PCT/AU00/00572,
PCT/AU00/00573,PCT/AU00/00574,PCT/AU00/00575,PCT/AU00/00576,
PCT/AU00/00577,PCT/AU00/00578,PCT/AU00/00579,PCT/AU00/00581,
PCT/AU00/00580,PCT/AU00/00582,PCT/AU00/00587,PCT/AU00/00588,
PCT/AU00/00589,PCT/AU00/00583,PCT/AU00/00593,PCT/AU00/00590,
PCT/AU00/00591,PCT/AU00/00592,PCT/AU00/00594,PCT/AU00/00595,
PCT/AU00/00596,PCT/AU00/00597,PCT/AU00/00598,PCT/AU00/00516,
PCT/AU00/00517およびPCT /AU00/00511。
【０００６】
これらの同時係属出願の開示は、相互参照により本明細書に組込まれる。
【背景技術】
【０００７】
（背景）
パーソナルコンピュータやオーガナイザーのような汎用装置と同様、ラジオやオーディオカセットプレーヤーのような特殊目的装置も、音楽のような音声データを再生するために使用可能である。これらの装置の多くは、音声書き取りのように音声データを記録するためにも使用可能である。
【発明の概要】
【発明が解決しようとする課題】
【０００８】
一般に、このような装置は、設置されているオーディオ（例えば、列車駅で見かけるコンサートのポスターに関連する音楽クリップや、工場マニュアル中のあるページに関連する口頭命令）へのアクセスを提供しない。各装置は装置を通じてアクセス可能な仮想空間を介して所望の音声データを捜し出すために使用されなければならないか、あるいは、音声データは装置互換性のある物理的フォーマットで装置に与えられなければならない。
【０００９】
本発明は、上記に列挙した本願出願人の同時係属出願に記述された「ネットページ（ｎｅｔｐａｇｅ）」と称されるシステムに関する方法、システムおよび装置を使用する。
【課題を解決するための手段】
【００１０】
（発明の概要）
１つの広い形式では、本発明は、符号化データを感知することが可能なセンサデバイスを備えた携帯型オーディオプレーヤーを提供する。符号化データを含むイメージが、オーディオプレーヤーによって感知され、復号化される。復号化された情報はコンピュータシステムに送信される。該コンピュータシステムは、前もって格納しておいた関連データを使用して、システム上に格納された復号化データに関連する１または複数のファイルを識別する。識別された１または複数のファイルは、内蔵型拡声器かまたはヘッドホンやその類似物を介して、ユーザの管理下で、即時再生か後の再生のためにオーディオプレーヤーに送信される。
【００１１】
従って、１つの広い形式では、本発明は、音声ファイルをダウンロードおよび再生するためのオーディオプレーヤーを提供する。該オーディオプレーヤーは、符号化データを含むイメージを感知することが可能な少なくとも１つのセンサデバイスと；感知されたイメージデータからデータを抽出するためのデコーダと；コンピュータシステムに復号化されたデータを送信し、コンピュータシステムから該復号化データに関連する１または複数の
音声ファイルを受取るためのトランシーバと；音声ファイルに対応する音声信号を出力するための少なくとも１つの音声出力装置と；を備える。
【００１２】
別の広い形式では、本発明は、ファイルをダウンロードする方法を提供する。該方法は、複数のファイルを提供する工程と；該複数のファイルの各々を１または複数の識別と関連させる工程と；少なくとも１つの選択データを表示するユーザインタフェースを提供する工程であって、前記選択データまたは各選択データは少なくとも１つの識別に関連するか少なくとも１つの識別を符号化している工程と；選択装置を用いてユーザインタフェース上にまたは該ユーザインタフェースにより表示された選択データまたは選択データの１つを選択する工程と；選択データに関連する１または複数の識別を決定し、選択データから決定された１または複数の識別に関連する１または複数のファイルを識別する工程と；また、そのように識別した１または複数のファイルを選択装置にダウンロードする工程と；から成る。
【００１３】
オーディオプレーヤーは、メモリおよびメモリに格納された任意のファイルに関する情報を表示するためのスクリーンを好ましくは有する。
ユーザインタフェースは好ましくは１枚の紙である。また、好ましくは、コードを含むイメージは目に見えない赤外線吸収性のタグである。Ｅ−Ｉｎｋコーポレーションによって製造されたＥ−Ｉｎｋのような電子的にアドレス可能なインキが載ったスクリーンまたは基材のようなディスプレイの他の形式が可能である。
【００１４】
オーディオプレーヤーは、ワイヤレス手段またはワイヤ手段によって、またはそれらの組合せによって、コンピュータシステムと連絡することが可能である。
オーディオプレーヤーは、埋込み型携帯電話トランシーバを使用するように形成される場合、または、オーディオプレーヤーと共同動作するよう形成された携帯電話にオーディオプレーヤー自体が埋込まれている場合、ｎｅｔｐａｇｅ基地局の範囲外で動作し得る。
【００１５】
ユーザインタフェース上の各選択は、１または複数のファイル（例えば単一トラックもしくは多くのトラックの「アルバム」）に関連付けられ得る。
好ましくは、オーディオプレーヤーは、オーディオプレーヤーおよび／またはダウンロードを要求するユーザの識別を可能にするために、オーディオプレーヤーにて符号化された一意の識別を有する。ダウンロードされたファイルがメモリに格納される場合、オーディオプレーヤー識別も、格納されたファイル内かまたは格納されたファイルに関連させて格納され得る。格納されたファイルの再生は、同じ所有者によって所有された１または複数のオリジナルのオーディオプレーヤーに限定され得る。この検証は、オーディオプレーヤーで行われるか、またはコンピュータシステムに情報を送信することにより行われる。
【００１６】
ダウンロードされたファイルの格納のために提供されるメモリは、オーディオプレーヤーに固定または除去可能であるか、あるいは、一部が固定可能で一部が除去可能である。
【図面の簡単な説明】
【００１７】
【図１】本発明の第１実施形態によるオーディオプレーヤーを下から見た正面斜視図。
【図２】図１のオーディオプレーヤーを下から見た背面斜視図。
【図３】オーディオプレーヤーを上から見た正面分解斜視図。
【図４】オーディオプレーヤーを上から見た平面図。
【図５】オーディオプレーヤーの端面図。
【図６】オーディオプレーヤーの右側面図。
【図７】図４で示されるＡＡ線に沿って切断したオーディオプレーヤーの側断面図。
【図８】オーディオプレーヤーの印刷回路基板（ＰＣＢ）を下から見た斜視図。
【図９】オーディオプレーヤーのＰＣＢを下から見た分解斜視図。
【図１０】オーディオプレーヤーのＰＣＢを上から見た斜視図。
【図１１】オーディオプレーヤーを上から見た背面分解斜視図。
【図１２】第１実施形態に関して使用されるページの平面図。
【図１３】オーディオプレーヤーの電子構成要素のブロック図。
【発明を実施するための形態】
【００１８】
（好ましい実施形態と他の実施形態の詳細な説明）
図１〜１１および１３を参照すると、オーディオプレーヤー１０が示される。オーディオプレーヤーは、印刷回路基板（ＰＣＢ）１４が中に配置された上部ケーシング１２と下部ケーシング１３より形成された本体を有する。光学センサデバイス１６、英数字ディスプレイ１８、制御スイッチ２０、音量調節部１５、スピーカ２２およびヘッドホンジャック２４がＰＣＢ１４上に実装される。上部および下部ケーシング１２，１３はねじ１７によって一体に保持される。ねじ１７は、上部ケーシング１２の孔１９を通り、ＰＣＢ１４の孔２１を通り、かつ、下部ケーシング１３のボス２３の中に至り、そのため２つのケーシングとＰＣＢを共に固定する。上部ケーシングは、ディスプレイ１８と弾性キーパッド２７が延在する開口部２５を有している。透明な窓２９がディスプレイ１８を覆い、窓２９とキーパッド２７はいずれも上部カバー３１により定位置に保持される。カバー３１は、窓２９が延在する開口部２６を有し、そのため窓の上部表面はカバー３１の上部と同じ高さにある。カバー３１はねじ１７の上にも延びる。カバー３１は、好ましくは接着剤によって上部ケーシングに接着されるが、上部ケーシングに対して適切に弾装接続されてもよい。キーパッドボタン２８はカバー３１中の対応する開口部３３を通って延び出る。
【００１９】
光学センサデバイス１６はイメージセンサ３０、赤外線ＬＥＤ３１、光ガイド３２およびレンズ３４を備えている。捕らえられた（タグ）イメージの動きのぶれを防ぐために、近赤外線ＬＥＤ３１はイメージキャプチャーと同期した状態でストロボフラッシュされ得る。イメージセンサ３０は通常、近赤外線バンドパスフィルタを備えた２００ｘ２００ピクセルＣＣＤまたはＣＭＯＳイメージセンサから構成される。光ガイド３２およびレンズ３４は一体形成されてもよいし、個別の構成要素であってもよい。レンズ３４は本体から外に延びる。光ガイド３２の自由端部分３５は円筒形であり、圧力センサカラー３７はその円筒形の部分３５に摺動可能に装着される。オーディオプレーヤーがある表面に押しつけられたときにレンズ３４ではなくカラー３７が該表面と接触するように、カラー３７は部分３５の自由端を越えて延びる。
【００２０】
カラー３７は、光学装置１６の周囲を該装置１６の背後に延びて、マイクロスイッチ３９に係合する。マイクロスイッチ３９は開位置にバイアス（偏倚）されており、マイクロスイッチ３９に対してカラー３７を押しつけると、スイッチ３９のバイアス手段に打ち勝ち、マイクロスイッチ３９が閉じられる。力を減少させると、バイアス手段はカラー３７を外側に付勢し、再びスイッチを開く。マイクロスイッチ自体のバイアス手段に加えて、個別のバイアス手段を、スイッチ３９の外部に設けてもよい。
【００２１】
本体上部の円形の延長部４１には、スピーカ２２が位置する。また、音がスピーカ２２によって送信されることを可能にするために、上部ケーシング１２には一連の孔４３が設けられる。
【００２２】
また延長部４１は、電池区画室４５としての役割も果たす。電池区画室４５は、下部ケーシング１３上にクリップで留まったカバー４７によってアクセスされる。再充電可能か使い捨ての電池４４によって動力がＰＣＢに供給される。電池４４は区画室４５内に位置し、電池接点４９と係合する。スピーカと電池の接点は、ワイヤセット５１，５３によってＰＣＢ１４にそれぞれ接続される。
【００２３】
ＰＣＢは、１または複数のプロセッサチップ３６、フラッシュメモリ／バッファ３８、ＤＲＡＭチップ４３、トランシーバチップ４０、圧縮音声デコーダ４１およびアンテナ４２を備えている。音声デジタル−アナログコンバーター（ＤＡＣ）４５およびアンプ４７がＰＣＢ上に提供されるが、図示しない。
【００２４】
プロセッサユニット８１は、プレーヤーの種々の電子構成要素を制御かつ調整する。プロセッサは、センサ１６を介して、存在するページの識別およびページに対するプレーヤーの位置をモニタするソフトウェアを実行し；無線トランシーバ４０によってｎｅｔｐａｇｅ基地局に識別および位置データを伝え；トランシーバ４０を通じて基地局から音声クリップ情報およびストリーミング音声データを受取り；クリップ情報をディスプレイ１８に表示し；音声デコーダ４５によって音声出力へストリーム音声データを減圧し；捕えられたユーザ入力をユーザインタフェースボタン２８によって解釈する。プロセッサによって実行される埋込み型ソフトウェアは、典型的にはＲＯＭおよび／またはフラッシュメモリの形で不揮発性メモリ３８に格納される。プレーヤーに固有の識別情報も、通信暗号キーと同様に、不揮発性メモリに格納されてよい。実行中プロセッサは、通常６４Ｍｂｉｔ（８Ｍｂｙｔｅ）ダイナミックＲＡＭ（ＤＲＡＭ）の形をした、より高速の揮発性メモリ４３を使用する。
【００２５】
ＭＰ３に符号化された音声データが高品質１２：１に圧縮されていると仮定すると、プレーヤーのメモリ４３は９分間のステレオ音声を保持することが可能である。圧縮比がより高くなるかメモリがより大きくなると、それに対応してより長いクリップを保持することが可能である。ストリーミング再生がプレーヤーによって使用される場合、送信ジッタを除去するためには小さなオーディオバッファのみが必要とされるので、非常に小さなメモリが使用されてもよい。
【００２６】
プロセッサユニット８１は共有バス４９を介して他の構成要素と連絡する。プロセッサ、バスおよび任意の数の他の構成要素が、１つのチップに集積され得る。ブロック図に示されるように、そのような集積構成要素には、デジタルトランシーバコントローラ５１、音声デコーダインタフェース５３およびタグイメージセンサインタフェース５５が含まれ得る。バス４９と、ボタン４８、ディスプレイ１８、ＬＥＤ３１および接点スイッチ３９との間には並列インタフェースが配置される。より高度に集積されたチップでは、集積構成要素には、音声デコーダ、音声ＤＡＣ、タグイメージセンサおよびメモリもさらに含まれ得る。アナログ−ラジオトランシーバは、同じチップに集積される可能性は少ないが、同じパッケージに集積される可能性がある。
【００２７】
プレーヤーが専用の音声デコーダ４１を組込んでいるため、プロセッサ８１は、他の構成要素を制御および調整するのに十分に強力でありさえすればよい。代わりに、音声デコーダを省略し、より強力なプロセッサを使用してソフトウェアに圧縮した音声を復号化することもできる。
【００２８】
トランシーバ４０は通常、交信距離の短いラジオトランシーバである。トランシーバ４０はＢｌｕｅｔｏｏｔｈ／ＩＢＥＥ  ８０２．１５、ＩＥＥＥ  ８０２．１１、ＨｏｍｅＲＦ／ＳＷＡＰ、ＨＩＰＥＲＬＡＮおよびＯｐｅｎＡｉｒを含めた多くのワイヤレス送信規格のうちのいずれを支援してもよい。Ｂｌｕｅｔｏｏｔｈ／ＩＢＥＥ  ８０２．１５，ＩＥＥＥ８０２．１１−１９９７，ＨＩＰＥＲＬＡＮ，ＯｐｅｎＡｉｒ、およびＨｏｍｅＲＦ／ＳＷＡＰはいずれも、１〜２Ｍｂｉｔ／ｓの範囲の伝送速度を支援する。ＩＥＥＥ
８０２．１１ｂは、５．５Ｍｂｉｔ／ｓおよび１１Ｍｂｉｔ／ｓの伝送速度を支援する。またＨＩＰＥＲＬＡＮは、代替モードで、２４Ｍｂｉｔ／ｓの伝送速度を支援する。以上挙げた現在支援されている無線ＬＡＮ（ＷＬＡＮ）規格を越えて、次世代ＷＬＡＮ規格
は、１００Ｍｂｉｔ／ｓおよびそれを超える伝送速度を支援することを約束する。
【００２９】
他の選択肢として、プレーヤーはケーブルを介して基地局に接続されてもよいし、または赤外線のような無線周波数ではないワイヤレス移送を利用してもよい。例えばＩＥＥＥ８０２．１１は、任意選択で赤外線移送を利用する。ＩｒＤＡも赤外線移送を利用する。
【００３０】
プレーヤーは、他の選択肢としてまたは追加的に、携帯電話ネットワークを通じたｎｅｔｐａｇｅサーバとの交信距離がより長い通信用の、携帯電話トランシーバを備え得る。トランシーバが第３世代「常時オン状態の」パケット交換接続を支援する場合、プレーヤーはオーディオ内容を任意にダウンロードしたりストリーミングしたりすることができる。トランシーバが単に回線交換接続を支援する場合、プレーヤーはハイパーリンクに遭遇する場合に限り接続する（かつ潜在的にオーディオ内容をストリームする）ことを選択することができる。
【００３１】
プレーヤーが交信距離のより長いトランシーバを内蔵した場合、プレーヤーはワイヤレスのｎｅｔｐａｇｅペンや他のｎｅｔｐａｇｅ感知デバイスのためのｎｅｔｐａｇｅ基地局として機能し得る。
【００３２】
１２：１ＭＰ３圧縮を仮定すると、受信機は、１１８Ｋｂｉｔ／ｓのデータ伝送速度を支援しなければならない。これは、明らかに十分、上述した様々な無線送信規格の最小能力の範囲内である。
【００３３】
ＰＣＢ１４には、そのより下方の表面にさらにマイクロホン５５が設けられてもよく、下部ケーシング１３にはマイクロホンへの音を許容するための孔５７が設けられる。記録スイッチ５９が、マイクロホン５５を作動させるために、やはりＰＣＢのより下方の表面に設けられる。記録ボタン６１は記録スイッチ５９を覆い、下部ケーシング１３の孔６３を通じてアクセス可能である。好ましくは該ボタン６１は、偶然の作動を防止するために、外表面と同じ高さにあるか該表面より奥まっている。
【００３４】
本願出願人の同時係属特許出願ＰＣＴ／ＡＵ００／００５６５に記述されているように、光学センサデバイス１６は目に見えない符号化タグを検知可能なｎｅｔｐａｇｅセンサである。タグは赤外線吸収性のインキを使用して好ましくは印刷されている。ＰＣＢプロセッサチップ３６は、感知されたタグの復号化のための本願出願人の同時係属出願ＰＣＴ／ＡＵ００／００５６５で論じられているようなｎｅｔｐａｇｅペンの機能的特徴をすべて含んでいる。この復号化されたデータは、本願出願人の同時係属出願ＰＣＴ／ＡＵ００／０１４５３に開示されているようなｎｅｔｐａｇｅプリンタまたはｎｅｔｐａｇｅ対応携帯電話のようなｎｅｔｐａｇｅ基地局へのアンテナ４２を介した伝達のために、トランシーバチップ４０に渡される。これが起こる前に、基地局とオーディオプレーヤーの間のハンドシェークおよび認証が行われる。説明を十分に行うために、再び出願ＰＣＴ／ＡＵ００／００５６５について言及する。
【００３５】
本発明の現時点の実施形態では、ｎｅｔｐａｇｅ７０が設けられる。このページには、その表面の一部または全部に、目に見えないｎｅｔｐａｇｅタグ７８が張られる。明瞭さのため、いくつかのタグのみを示す。ｎｅｔｐａｇｅ７０は、ダウンロードおよび再生に利用可能な音声ファイルのリスト７２を含んでいる。ファイルは、音楽ファイル、スピーチファイルまたは動物音の記録のような他の音声ファイル、もしくは複数の種類の記録の任意の組合せであり得る。各エントリは、好ましくはエントリ７４の摘要と、ユーザが該エントリを選択するための手段とを有している。これは、個別の選択ボタン７６であるか、または摘要情報７４自体の「ハイパーリンク」であり得る。ハイパーリンクは、テキストに下線を引くことで示され得る。
【００３６】
ユーザはハイパーリンクまたは選択「ボタン」を「クリック」することにより、エントリを選択し、センサは、その視野にタグ７８を発見し、該タグを復号化し、復号化した情報をアンテナ４２を介してｎｅｔｐａｇｅシステムに送信する。カラー３７の代わりとして、ユーザによるリンクの選択を可能にするために、個別の選択ボタンをオーディオプレーヤー上に設けてもよい。エントリに対してオーディオプレーヤーを「クリック」することまたは「ボタン」を押すことは、マイクロスイッチを閉じるためにカラー３７をページ７０に押しつけ、次に通常所定の（短い）期間内にそのような圧力を解放することを含んでいる。マイクロスイッチが閉じている間、イメージセンサ装置が作動され、ページ上の１または複数のタグを感知する試みがなされる。マイクロスイッチが力を保存すべく開いている場合、センサはオフである。
【００３７】
クリック動作によってタグイメージを得て復号化することがうまく行えなかった場合、オーディオプレーヤーはスピーカ２２を介して可聴音かメッセージを発する。
選択が有効に行われた場合、オーディオプレーヤーは自動的に音声ダウンロードまたはストリーミングを開始し得る。代わりに、オーディオプレーヤーはディスプレイ１８および制御ボタン２８を使用して、ユーザ確認を求めてもよい。選択が無効であった場合も、ディスプレイ１８または専用ＬＥＤ（図示しない）を介してユーザに通知され得る。通信は、ｎｅｔｐａｇｅプリンタのような任意のｎｅｔｐａｇｅ基地局を介するか、ｎｅｔｐａｇｅ対応の携帯電話を介し得る（同時係属出願ＰＣＴ／ＡＵ００／０１４５３を参照）。ｎｅｔｐａｇｅシステムは、復号化された情報が特定の１または複数の音声ファイルの要求と一致することを決定し、その要求が送信されるときに同一かまたは異なるパスを介してオーディオプレーヤー１０に該ファイルを送信する。
【００３８】
好ましい形式では、１または複数の音声ファイルが全体としてダウンロードされ、オーディオプレーヤーのメモリ３８に格納される。音声ファイルは１つの歌またはトラック、もしくは複数の歌またはトラックを含み得る。代わりに、ヘッダファイルには、各歌またはトラックが個別のファイルに格納された複数の歌またはトラックの索引が与えられてもよい。好ましくは、音声ファイルは、歌またはトラックのタイトル、トラック番号、ミュージシャンなどを識別する情報も含む。また、情報はディスプレイ１８上に表示され得る。
【００３９】
使用の際、ユーザはメモリ３８に格納された任意のトラックを選択するために、制御ボタン２８を使用し得る。プロセッサ３６は、メモリの関連部分にアクセスし、情報を抽出し、（通常、）デジタルの形式をアナログ形式に変換する。オーディオは、スピーカにルーティングされるか、または、プラグがステレオヘッドホンソケット内にある場合には付属のヘッドホンまたは他の外部オーディオ装置にルーティングされる。また、音声は、基地局から直接またはプレーヤーを介して、トランシーバを通じて無線ヘッドホンにルーティングされてもよい。
【００４０】
デジタル音は、４４．１ｋＨｚ、つまり、人の聴覚の２５番目の臨界帯の２２．０５ｋＨｚの上限カットオフ周波数の２倍で通常サンプリングされる。４８ｋＨｚのようなわずかに高いサンプリング周波数は、実際には、サンプリングに先立って２２．０５ｋＨｚのシャープなカットオフ値の音を低域通過させるのは非現実的であるため、しばしば使用される。正規量子化は１つのチャンネル当たり１６ビットであり、従って、ステレオ信号は１．４１Ｍｂｉｔ／ｓを生成する。従ってこれは、例えばオーディオコンパクトディスク（エラー訂正オーバヘッドが無視される場合）を始めとする多くの共通デジタルオーディオアプリケーションのデータ伝送速度である。
【００４１】
典型的な１．４１Ｍｂｉｔ／ｓのデジタル音声データ伝送速度は重要であるため、デジ
タル音声信号を圧縮する好材料となる。最も成功しているデジタル音声圧縮スキームは知覚による基礎を有している、つまり、そのようなスキームは、人間の聴覚の閾値の周波数依存性と信号依存性マスキングを利用しており、それにより、比較的より大きな音が閾値曲線を局部的に上昇させ、比較的低い隣接する音をマスクすることができる。また音声圧縮は、通常、エントロピー符号化のような従来の圧縮技術にも依存している。多重チャネル音声では、チャンネル間冗長度（redundancy）も一般に活用される。デジタル音声符号化のさらに詳細な考察が、Ｐｏｈｌｍａｎｎ，Ｋ．Ｃ．，Ｐｒｉｎｃｉｐｌｅｓ  ｏｆ  Ｄｉｇｉｔａｌ  Ａｕｄｉｏ，第３版，ＭｃＧｒａｗ−Ｈｉｌｌ，１９９５に見られるが、この内容は参照により本明細書に組み込まれる。
【００４２】
ＭＰＥＧオーディオレイヤ−３（ＭＰ３）規格は、１６：１〜１２：１の間の圧縮比の「近接ＣＤ」および「ＣＤ」品質再生を達成する知覚的符号化を使用している。つまり、データ伝送速度を１．４１Ｍｂｉｔ／ｓから８８Ｋｂｉｔ／ｓ〜１１８Ｋｂｉｔ／ｓの間へと低下させる。
【００４３】
音声ファイルはそのサイズを縮小するために圧縮され得る。いかなる圧縮アルゴリズムを使用してもよいが、ＭＰ３圧縮アルゴリズムは現在有効な業界基準であるため、ＭＰ３圧縮が最大の互換性を可能にするために使用される。この目的で専用のＭＰ３デコーダ４１が与えられる。音声デコーダ４１は、ＳＴＭｉｃｒｏｅｌｅｃｔｒｏｎｉｃｓ  ＳＴＡ０１３デコーダ（ＳＴＭｉｃｒｏｅｌｅｃｔｒｏｎｉｃｓ、ＳＴＡ０１３  ＭＰＥＧ２．５ＬａｙｅｒＩＩＩソースデコーダ）であり得る。ＳＴＡ０１３はシリアルインタフェイスを介してストリームデータを受取り、Ｉ２Ｃインタフェースを介して制御される。多くの他の音声符号化規格のうちのいずれも、Ｄｏｌｂｙ  ＡＣ−３およびＲｅａｌＮｅｔｗｏｒｋｓのＲｅａｌＡｕｄｉｏを含む適切な音声デコーダによって支援され得る。プロセッサチップ３６は、ソフトウェア復号化かハードウェア復号化を使用して、ＭＰ３復号化を提供し得る。他の復号化スキームを、ＭＰ３復号化と一緒に、またはＭＰ３復号化の代りに、オーディオプレーヤーに組入れてもよい。そのようなスキームはハードウェアでもソフトウェアでも実行してよい。
【００４４】
内部メモリ３９は、約９分間の平均ＭＰ３ファイルの格納に十分な、好ましくは８ＭＢのサイズである。追加の記憶機構は、ユーザが交換可能なメモリ（好ましくは不揮発性固体メモリ）を使用して提供され得る。音声ファイルは、オーディオプレーヤー１０を介して、またはユーザのパーソナルコンピュータを介して、そのようなユーザ交換可能メモリにダウンロードされ得る。ユーザ交換可能メモリが提供される場合、音声ファイルの記憶のために提供されるメモリ３９もユーザ交換可能な形式で実装され得る。つまり、オーディオプレーヤーはそれ自体、通常、音声ファイルの記憶用の永続的メモリを有しない。
【００４５】
好ましい実装では、オーディオプレーヤーは音声ファイルをダウンロードし、メモリにファイルを格納し、次に、ユーザの管理下でトラックを再生する。ファイルのサイズがかなりある場合、ファイル全体のダウンロードにはある程度の時間がかかる可能性があり、「ストリーミング」が実行され得る。「ストリーミング」では、一旦音声ファイルを完全にダウンロードするのではなく、ファイルが受取られた時に再生する。「ストリーミング」によって再生されたファイルは、後の再生のためにメモリ３８になお格納してもよい。
【００４６】
オーディオプレーヤーは任意選択でマイクロホンと記録ボタンを備える。その場合、プレーヤーは、スピーチ入力を記録し、従って別の種類のｎｅｔｐａｇｅ入力を提供するために使用可能である。記録されたスピーチ入力は、例えば、ｎｅｔｐａｇｅ上のある位置に対し、オーディオプレーヤーについて該位置でクリックすることにより、アノテーションの形で関連付けられる。その後、オーディオプレーヤーを使用して同じ位置で後にクリックすると、音声アノテーションが再生される。物体の表面が普遍的にｎｅｔｐａｇｅに
対応している場合、すなわち、固有のｎｅｔｐａｇｅタグで標識されている場合、音声アノテーションはほとんどどんな位置にも配置することが可能である。そのような音声アノテーションは私的なものであっても公的なものであってもよい。アノテーションが私的なものである場合、それは作成者のみにより再生可能である。アノテーションが公的なものである場合、それは誰にでも再生可能である。
【００４７】
マイクロホンを組込んでいる場合、オーディオプレーヤーは、電話方式アプリケーションの管理下で無線電話として機能するように形成することが可能である。プレーヤーは番号のダイヤルのためのユーザインタフェースを欠くため、番号は、本願出願人の同時係属出願ＰＣＴ／ＡＵ００／０１４４２に記述された方法でｎｅｔｐａｇｅから選択することが可能である。
【００４８】
音声クリップはハイパーリンクの形でｎｅｔｐａｇｅと対応付けられ得る。その場合には、オーディオプレーヤーによるハイパーリンクの起動は、プレーヤーに音声クリップを供給する責を負うアプリケーションによって結局取り扱われる。また、音声クリップは、ページ記述内の音声クリップオブジェクトとして論理的に埋込まれてもよい。その場合、クリップ起動は、ページ記述を保持するページサーバによって結局取り扱われる。音声クリップオブジェクトの領域でのいかなるクリックも、音声クリップ起動としてページサーバによって解釈される。いずれの場合も、実際の音声クリップは別個の遠隔サーバ上に格納され得る。遠隔サーバは、音声クリップのストリーミング再生かダウンロードに関連し得る。
【００４９】
オーディオプレーヤーは、ユーザによって起動された音声クリップを再生用に入手する前に、自身の内部メモリに該音声クリップをダウンロードすることが可能である。あるいは、オーディオプレーヤーは、プレーヤーの再生制御と相互作用するユーザに応答して、遠隔サーバからオンデマンドで音声クリップをストリームすることが可能である。
【００５０】
ダウンロードされた音声ファイルのうちのいくつかは著作権の所有者が支払を要求する営利を目的として作成された歌であろう。ｎｅｔｐａｇｅシステムが所有者と装置の認証を組込んでいるので、支払の提供は比較的簡単である。
【００５１】
音声ファイルは、再生の限定数か無限数の再生に対する支払いに基づきダウンロード可能となり得る。音声ファイルが設定再生数に限定されている場合、ファイルは、再生ごとに数が減小されるカウンターを含み得る。一度だけの「再生」が、ファイル記録を防止するコードによるストリーミングにより、または、初期値が１のカウンターの使用により、実行され得る。著作権侵害を防ぐために、特に取外し可能なメモリが使用される場合、格納された音声ファイルは、該ファイルがダウンロードされた先のオーディオプレーヤー１０のｎｅｔｐａｇｅＩＤを含むように修正され得る。再生はそのような特定のオーディオプレーヤーや、元のオーディオプレーヤーの所有者によって所有されている再生装置に制限され得る。この第２の選択肢では、認証用のｎｅｔｐａｇｅシステムとの相互作用が必要となり得る。
【００５２】
一括払いによってではなく、ファイルが再生されるごとに、各再生に対する支払いが実行されてもよい。このシナリオでは、ファイルが再生されると、ユーザのアカウントを借方として記述するためにｎｅｔｐａｇｅシステムへその趣旨の情報をオーディオプレーヤーに送信する。借方としての記述が起こった後は、オーディオプレーヤーが再生を始める前に、ｎｅｔｐａｇｅシステムからの認証が必要である。
【００５３】
プレーヤーは通常パワーマネージメントを組込んでいる。非作動の期間後、プレーヤーはステータス表示を不起動化してもよい。より長い非作動の期間後に、プロセッサは電力
保存のための静止状態を入力するかもしれない。パワーマネージメントは、ページ相互作用での起床を許容するタグセンサマイクロスイッチと接続され得る。またプレーヤーは、この目的で加速度計を組込んでもよい。
【００５４】
本発明を、目に見えないタグを使用するｎｅｔｐａｇｅシステムに関して説明してきたが、本発明は、ｎｅｔｐａｇｅシステムや目に見えないタグの使用に制限されるわけではない。所望の場合、本発明は、バーコードのような、助けを借りない平均的な人の目に見えるタグやコードを使用してもよい。タグは、その後、関連ファイルを調べるために使用される識別のみを符号化する必要はない。タグはより高いレベルにおける命令を符号化してもよい。例えば、タグは「アーティストＹによるＸというタイトルのトラックを再生せよ」という命令を符号化し得る。目に見えないタグが使用される場合、そのようなタグは、ｎｅｔｐａｇｅシステムに関して開示されたタグに制限される必要はない。他のタグ付けシステムが使用可能であり、また、いかなる適切なタグ付けシステムが使用されてもよい。本発明はある波長を吸収するかある波長を発光するインキの使用に制限されない。磁気インキ、孔を含めた表面の改変、基材自体の構造の改変は、すべて本発明の範囲内に含まれる。本発明のオーディオプレーヤーおよび音声ファイルのソースをリンクするシステムおよび方法は、ｎｅｔｐａｇｅシステムに制限されない。オーディオプレーヤーは複数のコンピュータのネットワークではなく、単一のコンピュータに対してケーブルによりリンクされ得る。
【００５５】
本発明を、好ましい実施形態および多くの特定の代替実施形態に関して説明してきた。しかしながら、特に説明したものとは異なる多くの他の実施形態も、本発明の精神および範囲に包含されることが、関連分野における当業者には理解されよう。従って、適宜相互参照により組み込んだ文書を含めた、本明細書に記載された特定の実施形態に本発明が制限されることは意図していない。本発明の範囲は特許請求の範囲によってのみ制限される。
【図１】
2011242782.tif 000003
【図２】
2011242782.tif 000004
【図３】
2011242782.tif 000005
【図４】
2011242782.tif 000006
【図５】
2011242782.tif 000007
【図６】
2011242782.tif 000008
【図７】
2011242782.tif 000009
【図８】
2011242782.tif 000010
【図９】
2011242782.tif 000011
【図１０】
2011242782.tif 000012
【図１１】
2011242782.tif 000013
【図１２】
2011242782.tif 000014
【図１３】
2011242782.tif 000015
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
コンピュータシステムにおいて音声ファイルを得る方法において、
複数の符号化タグを有する基材を提供する工程であって、音声ファイルは該符号化タグに関連付けられており、該符号化タグによって一意に識別され、各符号化タグには、前記基材の識別と該基材上における同符号化タグの位置と
が符号化されており、前記音声ファイルは、選択装置を使用して記録されるとともに、前記選択装置と前記符号化タグとが相互作用することによって前記符号化タグに関連付けられており、前記コンピュータシステムは、前記基材上の符号化タグに関連付けられた音声ファイルを格納するとともに、前記符号化タグと前記音声ファイルとの関連を示す関連データを格納している、前記基材を提供する工程と、
前記選択装置によって、前記音声ファイルを選択するために前記基材上で前記符号化タグを感知する工程と、
前記選択装置によって、感知した符号化タグを復号化するとともに、復号化した情報を前記コンピュータシステムに送信する工程と、
前記選択装置によって、前記選択された音声ファイルの音声データを前記コンピュータシステムからダウンロードする工程であって、音声ファイルは前記復号化した情報に基づき前記コンピュータシステムによって識別される、前記工程とを含む方法。
【請求項２】
前記選択装置のマイクロホンを用いて前記音声ファイルを記録するとともに、同記録された音声ファイルを前記選択装置のメモリに格納する工程をさらに含む、請求項１に記載の方法。
【請求項３】
前記選択装置は、同選択装置を一意に示す識別情報を格納する、請求項２に記載の方法。
【請求項４】
前記選択装置の識別と前記音声ファイルとの間の関連を示す関連データを前記選択装置の前記メモリに格納する工程をさらに含む、請求項３に記載の方法。
【請求項５】
前記符号化タグは、平均的な人間の目に見えないインキを使用して印刷されている、請求項１乃至４の何れか一項に記載の方法。
【請求項６】
前記基材は、前記音声ファイルと前記符号化タグとに関連する可視データを有する、請求項１乃至５の何れか一項に記載の方法。